(57)【要約】【課題】使用する際に便利であり、且つ美しい外観を有するタッチ式透明キーボードを提供すること。【解決手段】本発明のタッチ式透明キーボードは、タッチパレット、手書き板及び透明基板を備えてなる。前記タッチパレット及び前記手書き板が、前記透明基板の上面に設けられる。前記タッチパレットには、１つの制御モジュールが連接されており、前記制御モジュールは、前記手書き板に電気的に接続されて、ユーザーによる入力情報を検知する。前記透明基板の内部には、複数のキーアイコン及び駆動回路が設けられており、前記キーアイコンは電界発光効果を有する透明材料からなり、前記駆動回路は前記制御モジュールからの制御信号を受けると、前記キーアイコンを発光させて、前記キーアイコンが前記タッチパレットを透過して表示される。【選択図】図１
2011248866.tif 000002
【特許請求の範囲】
【請求項１】
タッチパレット、手書き板及び透明基板を備えるタッチ式透明キーボードであって、
前記タッチパレット及び前記手書き板が、前記透明基板の上面に設けられ、
前記タッチパレットには、１つの制御モジュールが連接され、前記制御モジュールは、前記手書き板に電気的に接続されて、ユーザーによる入力情報を検知し、
前記透明基板の内部には、複数のキーアイコン及び駆動回路が設けられており、前記キーアイコンは電界発光効果を有する透明材料からなり、前記駆動回路は前記制御モジュールからの制御信号を受けると、前記キーアイコンを発光させて、前記キーアイコンが前記タッチパレットを透過して表示されることを特徴とするタッチ式透明キーボード。
【請求項２】
前記透明基板は、一体に粘着される上ガラス板及び下ガラス板を含み、前記タッチパレットが前記上ガラス板に貼着され、前記キーアイコン及び前記駆動回路が前記下ガラス板の前記上ガラス板に対面する表面に配置されることを特徴とする請求項１に記載のタッチ式透明キーボード。
【請求項３】
前記駆動回路は、透明導電材料を前記下ガラス板の上面に塗布してなり、且つ外周の複数の前記キーアイコンに沿って設けられることを特徴とする請求項２に記載のタッチ式透明キーボード。
【請求項４】
前記タッチパレットの側辺には電源線が接続され、前記制御モジュールが前記電源線上に設けられることを特徴とする請求項１に記載のタッチ式透明キーボード。
【請求項５】
前記制御モジュールは、インジウムガリウム酸化物によって形成された透明体であり、前記制御モジュールの内部には、前記キーアイコンの座標範囲情報及び各前記キーアイコンに対応する指令情報が貯蔵されていることを特徴とする請求項１に記載のタッチ式透明キーボード。
【請求項６】
前記タッチパレットは、光透過性の透明静電容量式タッチパレットであり、透明保護層、第一導電層、透明基体及び第二導電層が上から下に順次積層されてなり、前記透明保護層はシリカからなり、前記第一導電層及び前記第二導電層は、インジウム錫酸化物からなり、前記透明基体はガラス板であることを特徴とする請求項１に記載のタッチ式透明キーボード。
【発明の詳細な説明】
【技術分野】
【０００１】
本発明は、タッチ式キーボードに関し、特にタッチ式透明キーボードに関するものである。
【背景技術】
【０００２】
キーボードは、主な入力デバイスとして、電子装置にとって不可欠な外接部品である。従来のキーボードは通常、複数の独立したキー支持部及びキートップから構成される。前記キーボードを利用してコンピューターに情報を入力する場合、大きな力で前記キートップをクリックしなければならない。従って、ユーザーが長時間クリックすると、疲労を感じ易い。しかも現在、このようなキーボードは、消費者の電子装置に対する個性的なニーズを満たさない。
【発明の概要】
【発明が解決しようとする課題】
【０００３】
本発明は、上記の問題点を考慮してなされたものであり、使用する際に便利であり、且つ美しい外観を有するタッチ式透明キーボードを提供することを目的とする。
【課題を解決するための手段】
【０００４】
前記課題を解決するために、本発明に係るタッチ式透明キーボードは、タッチパレット、手書き板及び透明基板を備えてなる。前記タッチパレット及び前記手書き板が、前記透明基板の上面に設けられる。前記タッチパレットには、１つの制御モジュールが連接されており、前記制御モジュールは、前記手書き板に電気的に接続されて、ユーザーによる入力情報を検知する。前記透明基板の内部には、複数のキーアイコン及び駆動回路が設けられており、前記キーアイコンは電界発光効果を有する透明材料からなり、前記駆動回路は前記制御モジュールからの制御信号を受けると前記キーアイコンを発光させ、前記キーアイコンは前記タッチパレットを透過して表示される。
【発明の効果】
【０００５】
従来の技術に比べて、本発明のタッチ式透明キーボードは、タッチ機能及び手書き機能を整合した構造を採用するので、入力操作が便利になる。また、本発明において、キーアイコンは透明基板内に設けられるので、それを効果的に保護することができる。また、前記タッチ式透明キーボードは全体が透明であり、使用する場合、前記キーアイコンが発光し、タッチパレットを透過して表示されるので、美しい外観を有する。
【図面の簡単な説明】
【０００６】
【図１】本発明の実施形態に係るタッチ式透明キーボードの分解図である。
【図２】図１に示したタッチ式透明キーボードのタッチパレットの断面構造図である。
【図３】図１に示したタッチ式透明キーボードの透明基板の背面図である。
【図４】図１に示したタッチ式透明キーボードが通電する際の使用状態図である。
【発明を実施するための形態】
【０００７】
図１に示したように、本発明の実施形態に係るタッチ式透明キーボード１００は、コンピューター或いはプリンターなどの電子装置の入力設備として使用され、タッチパレット１０、手書き板２０及び透明基板３０を備える。前記手書き板２０は、前記タッチパレット１０の片側に設けられ、且つ前記タッチパレット１０とともに前記透明基板３０上に設けられる。
【０００８】
図１及び図２を参照すると、前記タッチパレット１０は、透光性を有し、且つ透明な静電容量式タッチパレットであって、透明保護層１２、第一導電層１４、透明基体１６、第二導電層１７、電源線１８及び制御モジュール１９を備える。前記透明保護層１２、第一導電層１４、透明基体１６及び第二導電層１７は、上から下に順次積層配置されている。本実施形態において、前記透明保護層１２は、シリカ或いはポリエチレンテレフタレート（ＰＥＴ）薄膜から制作されてなる。前記第一導電層１４は、位置を測定するための機能層として、インジウム錫酸化物（ＩＴＯ)、アルミニウム酸化物添加亜鉛酸化物（ＺＡＯ)或いは酸化カドミウム（ＣｄＯ）などの透明導電材料からなる。前記透明基体１６は、ガラス或いは透明プラスチック板である。前記第二導電層１７も透明導電材料からなり、この第二導電層１７はマスキング層として、前記タッチパレット１０が静電気或いは電磁波に干渉されることを防ぎ、前記タッチパレット１０に理想的な動作環境を提供する。前記電源線１８は、前記タッチパレット１０の側辺に電気接続される。前記制御モジュール１９は集積チップであって、前記電源線１８上に固定され、且つ軟性ケーブル（図示せず）を介して前記第一導電層１４、第二導電層１７及び前記電源線１８に電気接続される。ユーザーの指先或いはタッチペンなどが前記タッチパレット１０の透明保護層１２に接触する瞬間に、前記指先或いはタッチペンと前記タッチパレット１０との間には静電容量が発生する。従って、前記制御モジュール１９は、電流の変化を測定して、接触位置の座標を判断すると共に対応する指令信号を発生し、且つこの指令信号をコンピューターなどの端末設備に伝送する。
【０００９】
前記手書き板２０は、透明材料からなり、前記タッチパレット１０の短手方向の片側（短手方向に対する左右方向の一方側）に貼着される。前記手書き板２０は、コンピューターなどの端末設備の内部に取付けられたドライバーソフトにより動作し、且つ軟性ケーブルを介して前記制御モジュール１９に電気接続されて、ユーザーが前記手書き板２０に入力した字形トラック信号をコンピューターに伝送し、前記コンピューターにより相応する情報を出力することを可能にする。
【００１０】
図３に示したように、本実施形態において、前記透明基板３０は、ガラスからなり、且つ全体が略弧状であり、中部が僅かに窪んでいる。前記透明基板３０は、上ガラス基板３２及び下ガラス基板３４を含む。前記上ガラス基板３２及び前記下ガラス基板３４は、ポリビニル・ブチラール（ＰＶＢ）材料を高温圧延するか或いは光重合することにより、一体に粘着される。前記タッチパレット１０は前記上ガラス基板３２の上面に貼着され、前記透明保護層１２は前記上ガラス基板３２から離間している。前記下ガラス基板３４の前記上ガラス基板３２に対面する表面には、複数のキーアイコン３６及び駆動回路３８が設けられている。
【００１１】
前記キーアイコン３６は、電界発光効果を有する透明材料を採用して、ペンキを吹き付けるか或いは印刷する方式によって形成される。前記キーアイコン３６の分布及び標示内容は、実際の需要に応じて設計することができ、例えば前記標示内容は、英文アルファベット、漢字或いは平仮名などとすることができる。前記キーアイコン３６の情報（例えば、「Ｋ」キーの座標範囲情報及び対応する指令信号）は、予め前記タッチパレット１０の制御モジュール１９内に貯蔵され、且つ前記タッチパレット１０のタッチされる位置にそれぞれ対応している。
【００１２】
前記駆動回路３８は、前記下ガラス基板３４の表面に透明導電材料を塗布することにより形成され、且つ前記下ガラス基板３４の短手方向の片側に配置される。前記駆動回路３８は、電気回線を介して前記キーアイコン３６及び前記制御モジュール１９に電気的に接続される。前記駆動回路３８は、前記キーアイコン３６を発光させるか否かをコントロールする。前記駆動回路３８が前記制御モジュール１９からの制御信号を受けて通電する際、前記キーアイコン３６は発光するので、前記タッチパレット１０を透過して表示される。前記駆動回路３８に通電しない際には、前記キーアイコン３６は発光しない。上述したように、前記上ガラス基板３２及び下ガラス基板３４は、ＰＶＢによって互いに粘着されるので、前記透明基板３０の強度は強くなり、前記キーアイコン３６は衝撃が加えられても損傷することはない。
【００１３】
前記下ガラス基板３４の、前記上ガラス基板３２に背離する表面の端縁には、前記下ガラス基板３４の長さに等しく且つ逆三角形を呈する、透明な支持リブ３９が突設されている。前記支持リブ３９が存在するため、前記タッチ式透明キーボード１００が卓上に設置されると、略傾斜状態になる。
【００１４】
図４に示したように、前記タッチ式透明キーボード１００に通電しない場合には、前記キーアイコン３６は発光しない。即ち、前記タッチパレット１０の上面から前記キーアイコン３６は視認できない。前記タッチ式透明キーボード１００に通電する場合、前記キーアイコン３６は発光し、且つ前記タッチパレット１０を透過して表示される。この際、ユーザーが前記タッチパレット１０をタッチすると、前記制御モジュール１９は、タッチされた位置を検知すると共に、タッチされた位置の座標情報を記録して、前記座標情報と予め貯蔵された前記キーアイコン３６の座標範囲情報とを比較して、タッチされた位置に対応する指令信号を出力する。また、前記タッチ式透明キーボード１００には、手書き板２０が設けられているので、ユーザーは前記手書き板２０を介して文字或いは図形を入力できる。
【００１５】
また、前記手書き板２０の一方側には電子ペンを収納するための収納部を設けることができる。
【００１６】
また、前記透明基板３０の材料は、ガラスに限定されるものではなく、樹脂或いは他の透明材料を採用してもよい。
【００１７】
また、前記タッチ式透明キーボード１００が無線式のキーボードである場合には、前記制御モジュール１９を前記タッチパレット１０の側辺に独立して設けてもよい。或いは、インジウムガリウム（Ｉｎｄｉｕｍ  Ｇａｌｌｉｕｍ）酸化物によって透明な制御モジュール１９を形成して、前記タッチ式透明キーボード１００を完全に透明化してもよい。
【００１８】
また、前記制御モジュール１９によって前記駆動回路３８の通電状態をコントロールする方法は、以下の２種がある。第一の方法は、コンピューターなどの装置を起動する際、キーボードインターフェースポートの電源を直接伝送するものである。第二の方法は、前記タッチパレット１０のタッチ信号を検知した後に、前記駆動回路３８を通電させるものである。第二の方法では、前記タッチ式透明キーボード１００を使用しない場合に、それを待機状態にさせることによって、電気エネルギーを節約する。
【００１９】
また、本発明のタッチパレット１０は、抵抗膜式、表面音波式或いは光学式などのタッチパレットとすることが可能である。
【００２０】
本発明において、前記タッチ式透明キーボード１００は、タッチ機能及び手書き機能を統合した構造を採用するため、ユーザーはキートップをクリックすることなく情報を入力することが可能であり、使用する際に便利である。また、前記タッチ式透明キーボード１００の全体が透明であり、通電する場合に、前記キーアイコン３６が発光して前記タッチパレットを透過して表示されるため、美しい外観を有する。
【００２１】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２２】
１０        タッチパレット
１２        透明保護層
１４        第一導電層
１６        透明基体
１７        第二導電層
１８        電源線
１９        制御モジュール
２０        手書き板
３０        透明基板
３２        上ガラス基板
３４        下ガラス基板
３６        キーアイコン
３８        駆動回路
３９        支持リブ
１００      タッチ式透明キーボード
【図１】
2011248866.tif 000003
【図２】
2011248866.tif 000004
【図３】
2011248866.tif 000005
【図４】
2011248866.tif 000006